(57)【要約】      （修正有）【課題】廃架空送電線から廃アルミニウム撚線を一線ずつ分離させて廃アルミニウム線材に分類する過程を自動化することができる、廃架空送電線からの廃アルミニウム線材の分類方法を提供する。【解決手段】廃架空送電線１００を供給する第１段階と、廃架空送電線の外側の廃アルミニウム撚線１１０を第１分離機５１０で解線し、外側の廃アルミニウム線材１１１と内側の廃アルミニウム撚線１３０に分離して、複数の外側の廃アルミニウム線材を第１直線機７１０を経て直線化した後、個別的に第１ボビンに巻き取る第２段階と、内側の廃アルミニウム撚線を第２分離機５３０によって解線して、内側の廃アルミニウム線材１３１と鋼撚線１５０に分離し、複数の内側の廃アルミニウム線材を第２直線機７３０を経て直線化した後、個別的に第２ボビンに巻き取る第３段階とにより、廃架空送電線からの廃アルミニウム線材を分類する。【選択図】図３
2014017253.tif 000002
【特許請求の範囲】
【請求項１】
廃架空送電線を供給する第１段階と、
前記供給される廃架空送電線の外側の廃アルミニウム撚線は、第１分離機によって解線され、複数の外側の廃アルミニウム線材と内側の廃アルミニウム撚線に分離され、前記複数の外側の廃アルミニウム線材は、第１直線機を経て直線化された後、前記直線化された複数の外側の廃アルミニウム線材が個別的に第１ボビンに巻き取られる第２段階と、
前記内側の廃アルミニウム撚線は、第２分離機によって解線され、複数の内側の廃アルミニウム線材と鋼撚線に分離され、前記複数の内側の廃アルミニウム線材は、第２直線機を経て直線化された後、前記直線化された複数の内側の廃アルミニウム線材が個別的に第２ボビンに巻き取られる第３段階と、を含んでなることを特徴とする廃架空送電線からの廃アルミニウム線材の分類方法。
【請求項２】
前記鋼撚線が第３ボビンに巻き取られる第４段階をさらに含む、ことを特徴とする請求項１に記載の廃架空送電線からの廃アルミニウム線材の分類方法。
【発明の詳細な説明】
【技術分野】
【０００１】
本発明は、廃架空送電線からの廃アルミニウム線材の分類方法に係り、さらに具体的には、廃架空送電線から廃アルミニウム撚線を一線ずつ分離させて廃アルミニウム線材として分類する過程を自動化することができる、廃架空送電線からの廃アルミニウム線材の分類方法に関する。
【背景技術】
【０００２】
発電所で生産された電力を遠く離れている需要地または１次変電所へ送電するための方法として、架空送電線を用いた送電方法が広く使われている。
このような架空送電線を用いた送電方法は、発電所で生産された電力を、地上の鉄塔によって支持される架空送電線を用いて需要地まで送電する方式である。
通常の架空送電線は、中心引張線と、これを取り囲んでいる導体部とから構成される。
【０００３】
主に、撚線された鋼線または鋼心からなる中心引張線と、アルミニウムまたはアルミニウム合金からなる導体部とを備えた架空送電線が使われているが、これを鋼心アルミニウム撚線（ＡＣＳＲ：Aluminum Cable Steel Reinforced）架空送電線という。
【０００４】
このような架空送電線の老巧化された線路の取替または負荷増加による送電容量増大のための架空送電線の取替作業で毎年数百トンの廃架空送電線が発生し、これを収集している。収集された廃架空送電線は、まず廃アルミニウム線材と鋼線に分類され、関連素材製錬業者に渡されて再溶解されてさらに鋳造、伸線、撚線工程を介して架空送電線に再生される。
【０００５】
ところが、廃架空送電線から廃アルミニウム線材を分類するリサイクル過程において、従来では廃架空送電線から一線ずつ廃アルミニウム線材を分離させる工程を手作業で行い、多くの時間と手間・費用がかかるという欠点があった。
【発明の概要】
【発明が解決しようとする課題】
【０００６】
本発明は、かかる問題点を解決するためになされたもので、その目的は、廃架空送電線から廃アルミニウム撚線を解線し、一線ずつ分離させて個別にボビンに巻き取る過程を自動化することにより、廃アルミニウム線材のリサイクルを容易にした、廃架空送電線からの廃アルミニウム線材の分類方法を提供することにある。
【課題を解決するための手段】
【０００７】
上記目的を達成するために、本発明は、廃架空送電線を供給する第１段階と、前記供給される廃架空送電線の外側の廃アルミニウム撚線は、第１分離機によって解線され、複数の外側の廃アルミニウム線材と内側の廃アルミニウム撚線に分離され、前記複数の外側の廃アルミニウム線材は、第１直線機を経て直線化された後、前記直線化された複数の外側の廃アルミニウム線材が個別的に第１ボビンに巻き取られる第２段階と、前記内側の廃アルミニウム撚線は、第２分離機によって解線され、複数の内側の廃アルミニウム線材と鋼撚線に分離され、前記複数の内側の廃アルミニウム線材は、第２直線機を経て直線化された後、前記直線化された複数の内側の廃アルミニウム線材が個別的に第２ボビンに巻き取られる第３段階と、を含んでなる廃架空送電線からの廃アルミニウム線材の分類方法を提供する。
また、 前記鋼撚線が第３ボビンに巻き取られる第４段階をさらに含んでもよい。
【発明の効果】
【０００８】
上述したように、本発明によれば、次の効果を期待することができる。
【０００９】
廃架空送電線から廃アルミニウム撚線を解線し、一線ずつ分離させて個別にボビンに巻き取る過程を自動化し、廃アルミニウム線材のリサイクルを容易にすることにより、リサイクル作業の迅速化、簡便化およびコストダウンを一層増大させることができる。
【図面の簡単な説明】
【００１０】
【図１】本発明に係る廃架空送電線からの廃アルミニウム線材の分類方法を段階別に示す図である。
【図２】廃架空送電線の構成を示す図である。
【図３】本発明に係る廃架空送電線からの廃アルミニウム線材の分類方法の好適な実施例を示す図である。
【発明を実施するための形態】
【００１１】
以下、本発明に係る好適な実施例について添付図面を参照して詳細に説明する。
【００１２】
図１は本発明に係る廃架空送電線からの廃アルミニウム線材の分類方法を段階別に示す順序図であり、図２は廃架空送電線の構成を示す斜視図、図３は本発明に係る廃架空送電線からの廃アルミニウム線材の分類方法の好適な実施例を示す模式図である。
次に、本発明に係る廃架空送電線からの廃アルミニウム線材の分類方法の好適な実施例を各段階別に説明する。
【００１３】
これに先立ち、廃架空送電線の構造を説明すると、図２に示すように、廃架空送電線１００は、複数の鋼線１５１が撚線されて鋼撚線１５０を形成し、前記鋼撚線１５０の外周面には複数の内側の廃アルミニウム線材１３１が撚線されて内側の廃アルミニウム撚線１３０を形成し、前記内側の廃アルミニウム撚線１３０の外周面には外側の廃アルミニウム線材１１１が撚線されて外側の廃アルミニウム撚線１１０を形成しているもので、複数の金属線材が多層に撚り合わされる構造を持つ。
【００１４】
このような前記廃架空送電線１００から内・外側の廃アルミニウム線材を分類することが可能な方法を提供するために、本発明によれば、図１および図２に示すように、前記廃架空送電線１００を持続的に供給する第１段階と、前記外側の廃アルミニウム撚線１１０を一線ずつ分離させて外側の廃アルミニウム線材１１１として分類する第２段階と、前記内側の廃アルミニウム撚線１３０を一線ずつ分離させて内側の廃アルミニウム線材１３１として分類する第３段階と、鋼撚線１５０を一線ずつ分離させて鋼線１５１として分類する第４段階とを含んでなる。
次に、このような本発明に係る廃架空送電線からの廃アルミニウム線材の分類方法の好適な実施例について、各段階別の詳細および相互連関関係を説明する。
【００１５】
図１、図２または図３に示すように、前記第１段階は、現場から収集された廃架空送電線１００が巻き取られているボビンを巻取機３００に設置する。前記巻取機３００は、可変ギアが備えられて一定の速度で廃架空送電線１００を巻き取ることが可能な機械である。前記巻取機３００は、廃架空送電線１００を解線して一線ずつ内・外側の廃アルミニウム線材を各ボビンに巻き取ることができるように連続的に供給する。
このように一定の速度で巻き取られる前記廃架空送電線１００は、第１分離機５１０に供給される。
【００１６】
前記第２段階は、前記第１分離機５１０によって外側の廃アルミニウム線材１１１と内側の廃アルミニウム撚線１３０に分離し、外側の廃アルミニウム線材１１１を一線ずつ分離して第１ボビンに巻き取る段階である。前記第１分離機は、廃架空送電線の外側の廃アルミニウム撚線１１０の終端部をプーリーグリップ（図示せず）で把持し、外側の廃アルミニウム撚線１１０の撚り方向と反対の方向に回転しながら解線し、一線ずつ分離される複数の外側の廃アルミニウム線材１１１と内側のアルミニウム撚線１３０に分離し、複数の外側の廃アルミニウム線材１１１は第１直線機７１０へ供給する。
【００１７】
このような前記第１直線機７１０は、複数のローラーを備えることにより、前記ローラー同士の間を複数の外側の廃アルミニウム線材１１１が通過しながら直線状態で広がるようにする機械である。
このように直線化された複数の外側のアルミニウム線材１１１は個別に第１ボビンに巻き取られる。
【００１８】
一方、前記第３段階は、前記第１分離機５１０で分離される内側の廃アルミニウム撚線１３０を第２分離機５３０によって解線し、一線ずつ分離される複数の内側の廃アルミニウム線材１３１と鋼撚線１５０に分離し、複数の内側の廃アルミニウム線材１３１は第２直線機７３０を経て直線化した後、個別に第２ボビンに巻き取る段階である。
【００１９】
そして、前記第４段階は、前記第２分離機５３０で分離される鋼撚線１５０を、別途の解線および直線化過程を経ることなく、撚線された状態で第３ボビンに巻き取る段階である。
【００２０】
以上のように、本発明は、廃架空送電線から廃アルミニウム撚線を解線し、一線ずつ分離させて個別にボビンに巻き取る過程を自動化し、廃アルミニウム線材のリサイクルを容易にすることにより、廃アルミニウム線材のリサイクル工程をさらに迅速かつ簡便に行うことができる、廃架空送電線からの廃アルミニウム線材の分類方法を提供することを基本的思想としている。当業界における通常の知識を有する者であれば、本発明の範囲を逸脱しない範疇内で様々な変形を加え得るのは勿論である。
【符号の説明】
【００２１】
１００    廃架空送電線
１１０    外側の廃アルミニウム撚線
１１１    外側の廃アルミニウム線材
１３０    内側の廃アルミニウム撚線
１３１    内側の廃アルミニウム線材
１５０    鋼撚線
１５１    鋼線
３００    巻取機
５１０    第１分離機
５３０    第２分離機
７１０    第１直線機
７３０    第２直線機
【図１】
2014017253.tif 000003
【図２】
2014017253.tif 000004
【図３】
2014017253.tif 000005